(57)【要約】      （修正有）【課題】  加盟店が金券の代金を金券発行者に対して請求を行なえると共に、金券の代金支払の処理を効率的に行うことができる金券代金の決済方法に関する。【解決手段】  加盟店端末から受信した金券情報に基づき、加盟店への代金支払データと、回収券データとを生成し、センターサーバから金券発行者コンピュータに代金支払データ及び回収券データを送信し、金券発行者コンピュータにおいて、回収券データと金券発行データとを照合して金券が正規に発行されたものであるかを検証し、検証結果、金券が正規に発行されたものであると認証された場合に金券発行者コンピュータからセンターサーバに対して支払いを承認する情報を送信し、センターサーバから金融機関のコンピュータに対し代金支払データに基づき加盟店の口座への振込処理依頼情報を送信し、前記振込処理依頼情報に基づき金融機関のコンピュータが加盟店口座に対して金券代金の振込処理を行う。【選択図】        図１
2006119682.tif 000002
【特許請求の範囲】
【請求項１】
金券発行元から発行された金券を取り扱う加盟店に対して、前記加盟店が顧客から受け取った金券の代金について支払処理を行う金券代金の決済方法であって、
加盟店端末からセンターサーバに対して、加盟店が受け取った金券に付されている金券情報を送信するステップと、
センターサーバにおいて、前記加盟店端末から受信した金券情報に基づいて、前記加盟店への代金支払データと、回収券データとを生成するステップと、
前記センターサーバから金券発行元コンピュータに、前記代金支払データ及び回収券データを送信するステップと、
前記金券発行元コンピュータにおいて、前記回収券データと金券発行データとを照合して金券が正規に発行されたものであるか否かを検証するステップと、
前記検証の結果、金券が正規に発行されたものであると認証された場合に、前記金券発行元コンピュータから前記センターサーバに対して、前記代金支払データに基づく支払いを承認する情報を送信するステップと、
前記センターサーバから金融機関のコンピュータに対して、前記代金支払データに基づき前記金券発行元の口座から前記加盟店の口座への振込処理依頼情報を送信するステップと、
前記振込処理依頼情報に基づいて前記金融機関のコンピュータが、前記加盟店の口座に対して金券代金の振込処理を行うステップと、
からなることを特徴とする金券代金の決済方法。
【請求項２】
前記金融機関のコンピュータが金券代金の振込処理を行なった後に、前記金融機関のコンピュータから前記センターサーバに対して振込完了通知を送信するステップと、
前記センターサーバから前記加盟店端末に対して、前記加盟店の口座に対して金券代金が振り込まれたことの通知を送信することを特徴とする請求項１記載の金券代金の決済方法。
【発明の詳細な説明】
【技術分野】
【０００１】
本発明は、金券発行者から発行された金券を取り扱う加盟店が、入手した金券代金の請求を金券発行者に行なうと共に、金券発行者から加盟店に対して前記加盟店が顧客から受け取った金券の代金について支払処理を行うことができる金券代金の決済方法に関する。
【背景技術】
【０００２】
従来、例えば、商品券、ギフトカード、旅行券、食事券、ビール券、アイスクリーム券、図書券、文具券、など金銭的な価値を有する種々の金券が多種類発行されている。
これらの金券は、贈答用やプレゼントとして使用されたりすることも多いことから、利用者にとって、広範囲にどこの商店でも共通して使用できるという利便性がある。
【０００３】
また、顧客が代金の代わりに店などに支払った金券は、店側からその金券を発行した発行元である金券発行者に送られて、その金券額に応じた金銭の支払いを金券発行者に請求し、金券発行者から店側にそれらの金銭を支払うことで金券代金の支払い精算処理が行なわれる。
しかしながら、市場に大量に発行された種々の金券に対する精算処理には、手間と時間がかかるという問題がある。
【０００４】
従来の金券処理システムにおいて、金券類の券番号を読み取って、予め登録されている券番号と照合することで、金券類の回収処理や真偽判別を行うシステムが既に公知となっているが、種類の異なる金券を回収処理して、代金精算の請求データを生成するという技術はなかった。（例えば、特許文献１参照）
【特許文献１】特開平１０−３４０３６８号公報
【発明の開示】
【発明が解決しようとする課題】
【０００５】
本発明は、金券発行者から発行された金券を取り扱う加盟店が、顧客から受け取った金券の代金を金券発行者に対して請求を行なえるようにすると共に、金券発行者から加盟店に対して前記加盟店が顧客から受け取った金券の代金支払の処理を効率的に行うことができる金券代金の決済方法に関する。
【課題を解決するための手段】
【０００６】
本発明の金券代金の決済方法は、金券発行者から発行された金券を取り扱う加盟店に対して、前記加盟店が顧客から受け取った金券の代金について支払処理を行う金券代金の決済方法であって、加盟店端末からセンターサーバに対して、加盟店が受け取った金券に付されている金券情報を送信するステップと、センターサーバにおいて、前記加盟店端末から受信した金券情報に基づいて、前記加盟店への代金支払データと、回収券データとを生成するステップと、前記センターサーバから金券発行者コンピュータに、前記代金支払データ及び回収券データを送信するステップと、前記金券発行者コンピュータにおいて、前記回収券データと金券発行データとを照合して金券が正規に発行されたものであるか否かを検証するステップと、前記検証の結果、金券が正規に発行されたものであると認証された場合に、前記金券発行者コンピュータから前記センターサーバに対して、前記代金支払データに基づく支払いを承認する情報を送信するステップと、前記センターサーバから金融機関のコンピュータに対して、前記代金支払データに基づき前記金券発行者の口座から前記加盟店の口座への振込処理依頼情報を送信するステップと、前記振込処理依頼情報に基づいて前記金融機関のコンピュータが、前記加盟店の口座に対して金券代金の振込処理を行うステップと、からなることを特徴とする。
【０００７】
また、本発明の金券代金の決済方法は、前記金融機関のコンピュータが金券代金の振込処理を行なった後に、前記金融機関のコンピュータから前記センターサーバに対して振込完了通知を送信するステップと、前記センターサーバから前記加盟店端末に対して、前記加盟店の口座に対して金券代金が振り込まれたことの通知を送信することを特徴とする。
【発明の効果】
【０００８】
以上説明したように、本発明の金券代金の決済方法は、加盟店が受け取った金券について代金精算処理を行う際に、加盟店からセンターサーバに対して金券情報を送信するだけで、顧客に使用された金券の回収情報の収集処理と、金券代金の支払いとしての加盟店の口座への支払処理を自動的に効率良く行うことができるという効果がある。
【０００９】
また、発明の金券代金の決済方法は、金券代金の振込処理が終了したことを、自動的に加盟店側に知らせることができ、加盟店側が効率的に金券代金の入金状況を確認することができるという効果がある。
【発明を実施するための最良の形態】
【００１０】
以下、本発明の実施の形態を図面に基づいて詳細に説明する。
図１は、本発明のシステム構成の概要を示したものである。
この図に示すように、金券発行者から発行された金券を取り扱う加盟店１には、それぞれ加盟店端末として金券読取装置２が接続された通信端末３が設置されている。
金券読取装置２は、図２に示すように、金券７に表示された管理番号７ａを機械的に読み取る機能を有している。
これらの管理番号７ａは、機械読み取り用の表示として、例えばバーコード、ＯＣＲ等により表示されており、顧客から受け取った金券を金券読取装置２で短時間に機械読み取りして入力できるようにしてある。
【００１１】
図１には、一例として百貨店とスーパーマーケットにそれぞれ備えられた金券読取装置２が接続された通信端末３が示されている。
そして、これらの通信端末３は、通信回線４を介して金券管理センター５に設置されているセンターサーバ６と通信可能に接続されている。
更に、このセンターサーバ６は、通信回線４を介して金券発行元７である各会社のホストコンピュータ８と接続され、更に通信回線４を介して金融機関９のホストコンピュータ１０ａ，１０ｂともそれぞれ接続されている。
【００１２】
金融機関９のホストコンピュータとしては、金券の発行元の口座が開設されている発行元金融機関のホストコンピュータ１０ａと、加盟店の口座が開設されている加盟店金融機関のホストコンピュータ１０ｂとがあり、この発行元金融機関のホストコンピュータ１０ａと加盟店金融機関のホストコンピュータ１０ｂとも通信回線４で接続されて、発行元金融機関のホストコンピュータ１０ａから加盟店金融機関のホストコンピュータ１０ｂに対して、加盟店が顧客から受け取った金券の代金金額の振込み処理を通信で行なえるようにしてある。
但し、発行元金融機関のホストコンピュータ１０ａから加盟店金融機関のホストコンピュータ１０ｂに対して加盟店が顧客から受け取った金券の代金金額の振込み処理を行なう場合には、予めセンターサーバ５から発行元金融機関のホストコンピュータ１０ａに対して振込み処理の依頼情報が送信されることになる。
【００１３】
図３に示すように、センターサーバ６には、通信手段１１、記憶手段１２、金券情報登録手段１３、フォーマット変換手段１４、データ生成手段１５、振込依頼情報送信手段１６、制御手段１７、発行元情報データベース１８、加盟店情報情報データベース１９、金券管理情報データベース２０、フォーマット情報データベース２１などが備えられている。
【００１４】
ここで発行元情報データベース１８には、金券に表示されている管理番号７ａと関係付けられて金券の発行元つまり金券発行会社の会社名、住所、電話番号、取り引き先の金融機関情報、などが登録されている。
また、加盟店情報情報データベース１９には、加盟店毎に定められた加盟店管理番号と関係付けられて、加盟店名、住所、電話番号、取り引き先の金融機関情報、などが登録されている。
金券管理情報データベース２０には、金券の管理番号７ａに関係付けられて、金券毎の情報が登録される。
また、フォーマット情報データベース２１には、各金融機関に対して振込依頼を行なう際に使用するための各金融機関から指定されたフォーマット情報が登録されている。
【００１５】
また、金券発行元のホストコンピュータ８には、図４に示すように、通信手段２２、記憶手段２３、照合手段２４、承認情報送信手段２５、制御手段２６、発行金券情報データベース２７などが備えられている
発行金券情報データベース２７には、金券発行元が既に発行済みの金券の管理番号などを登録すると共に、回収された金券の管理番号により消し込み処理を行うことで、金券発行会社毎に金券の管理が行なえるようにしてある。
【００１６】
照合手段２４は、回収された金券の管理番号と、金券発行元が既に発行済みの金券の管理番号とを照合する機能を有し、照合一致した場合には、回収金券情報として発行金券情報データベース２７に登録する。
承認情報送信手段２５は、回収された金券の管理番号が照合処理で一致した場合に、金券発行元のホストコンピュータ８からセンターサーバ６に対して、加盟店からの金券代金の支払い請求を承認することを示す情報を送信する機能を有している。
センターサーバ６は、金券発行元のホストコンピュータ８からの承認情報を受信することで、センターサーバ６から金券の発行元金融機関のホストコンピュータ１０ａに対して金券代金の振込処理を依頼する情報を送信することで、金融機関による振込処理が行なわれるようにしてある。
【００１７】
次に、図５及び図６に基づいて、発明の実施形態に係る金券代金の決済方法の処理手順を説明する。
まず、顧客から金券を受け取った加盟店１は、それらの金券に表示された管理番号７ａを金券情報として金券読取装置２で読み取る。（ステップＳ１）
そして、通信端末３から金券管理センターのセンターサーバ６に対して、金券読取装置２で読み取った金券情報である管理番号と加盟店管理番号を送信する。（ステップＳ２）
センターサーバ６の金券管理情報データベース２０に受信した管理番号と加盟店管理番号を登録する。（ステップＳ３）
【００１８】
そして、予め定めた集計日に、金券管理情報データベース２０に登録された所定期間の情報について集計処理を行う。（ステップＳ４）
その集計処理において、金券発行元別に集計データの仕分け処理を行う。（ステップＳ５）
次に、金券発行元別に仕分けした集計データについて、請求金額データと、請求する金額に該当する金券の金券管理番号データとを生成する。（ステップＳ６）
生成したそれらの請求金額データと金券管理番号データについて、金券発行元が指定するフォーマットに変換する。（ステップＳ７）
【００１９】
金券管理センターのセンターサーバ６から金券発行元７のホストコンピュータ８に対して、請求金額データと金券管理番号データを送信する。（ステップＳ８）
金券発行元７のホストコンピュータ８において、発行金券情報データベース２７に登録されている発行済みの金券の管理番号と、回収された金券の管理番号データとの照合処理を行なう。（ステップＳ９）
この照合処理で照合不一致となった場合には、その後の処理を中止する。（ステップＳ１０）
【００２０】
また、この照合処理で照合一致となった場合には、センターサーバ６から受信した請求金額データが、金券管理番号データに基づいて算出した金額と間違いなく一致するか否かの検証処理が行なわれる。（ステップＳ１１）
この検証処理で金額が合わなかった場合には、その後の処理を中止する。（ステップＳ１２）
この検証処理で金額が一致した場合には、金券発行元７のホストコンピュータ８からセンターサーバ６に対して、承認通知情報の送信が行なわれる。（ステップＳ１３）
【００２１】
承認通知情報を受信したセンターサーバ６は、請求金額データを金券の発行元金融機関の指定するフォーマットに変換して振込依頼情報を作成する。（ステップＳ１４）
そして、センターサーバ６から金券の発行元金融機関のホストコンピュータ１０ａに対して、振込依頼情報を送信する。（ステップＳ１５）
振込依頼情報を受信した金券の発行元金融機関のホストコンピュータ１０ａは、加盟店金融機関のホストコンピュータ１０ｂに対して、振込依頼情報に基づいた金額の振込み処理を行う。（ステップＳ１６）
【００２２】
そして、金券の発行元金融機関のホストコンピュータ１０ａは、センターサーバ６に対して振込みが完了したことを知らせる通知を送信する。（ステップＳ１７）
センターサーバ６から通信端末３及び金券発行元７のホストコンピュータ８に対して金券代金の振込み処理が完了したことの通知を送信する。（ステップＳ１８）
【００２３】
これらの処理により、加盟店は、センターサーバ６から通信端末３が受信した金券代金の振込完了通知の内容を見ることで、金券代金が入金されたことを確認することができる。
また、金券の発行元もセンターサーバ６から金券発行元７のホストコンピュータ８が受信した金券代金の振込完了通知の内容を見ることで、加盟店に対する金券決済が無事に行なわれたことを確認することができる。
【００２４】
センターサーバ５から発行元金融機関のホストコンピュータ１０ａ及び加盟店金融機関のホストコンピュータ１０ｂとの通信や、センターサーバ５から金券発行元７である各会社のホストコンピュータ８との通信を行なう際に、共同利用型ネットワークシステムを介して通信を行なうようにしてもよい。
【図面の簡単な説明】
【００２５】
【図１】本発明の実施形態に係る金券代金の決済方法に関するシステム構成の概要を説明する図である。
【図２】金券である商品券の平面図である。
【図３】本発明に関するシステムのセンターサーバのシステムブロック図である。
【図４】本発明に関するシステムの金券発行元コンピュータのシステムブロック図である。
【図５】本発明の実施形態に係る金券代金の決済方法の処理手順を示すフローチャートである。
【図６】本発明の実施形態に係る金券代金の決済方法の処理手順を示すフローチャートである。
【符号の説明】
【００２６】
１  加盟店
２  金券読取装置
３  通信端末
４  通信回線
５  金券管理センター
６  センターサーバ
７  金券
７ａ  管理番号
８  金券発行元  ホストコンピュータ
９  金融機関
１０ａ  発行元金融機関のホストコンピュータ
１０ｂ  加盟店金融機関のホストコンピュータ
１１，２２  通信手段
１２，２３  記憶手段
１３  金券情報登録手段
１４  フォーマット変換手段
１５  データ生成手段
１６  振込依頼情報送信手段
１７，２６  制御手段
１８  発行元情報データベース
１９  加盟店情報情報データベース
２０  金券管理情報データベース
２１  フォーマット情報データベース
２４  照合手段
２５  承認情報送信手段
２７  発行金券情報データベース
【図１】
2006119682.tif 000003
【図２】
2006119682.tif 000004
【図３】
2006119682.tif 000005
【図４】
2006119682.tif 000006
【図５】
2006119682.tif 000007
【図６】
2006119682.tif 000008